(57)【要約】【課題】内部に溜まっている汚物を捨てた後、洗浄して繰り返し使える真空掃除機用集塵フィルタを提供する。【解決手段】本発明による集塵フィルタは、真空掃除機の集塵室の空気排出口と通ずる空気排出孔が形成された後面部及び該後面部の縁部から垂直に延ばされた側面部とを有することにより、内部に所定の空間部が設けられるフィルタケースと；前記集塵室の空気流入口と通ずる空気流入孔を有し、前記フィルタケースに分離可能に結合されるカバーと；前記空気流入孔から流入され、前記空気排出孔へ排出される空気に含まれた汚物を分離するように前記フィルタケースに内装される汚物分離手段とを含む。【選択図】      図４
2004174206.tif 000002
【特許請求の範囲】
【請求項１】
空気流入口及び空気排出口を備えた真空掃除機の集塵室に取付けられ、前記空気流入口を通して流入される空気に含まれた汚物を分離収去する半永久的に使用できる真空掃除機用集塵フィルタであって、
前記空気排出口と通ずる空気排出孔が形成された後面部及び該後面部の縁部から垂直に延ばされた側面部とを有することにより、内部に所定の空間部が設けられるフィルタケースと；
前記空気流入口と通ずる空気流入孔を有し、前記フィルタケースに分離可能に結合されるカバーと；
前記空気流入孔から流入され、前記空気排出孔へ排出される空気に含まれた汚物を分離するように前記フィルタケースに内装される汚物分離手段とを含むことを特徴とする真空掃除機用集塵フィルタ。
【請求項２】
前記フィルタケースは円筒形に構成され、該フィルタケースと前記カバーとはその結合部に互いに対応するように形成される係止突部及びホックの構造によって着脱自在に結合されることを特徴とする請求項１に記載の真空掃除機用集塵フィルタ。
【請求項３】
前記汚物分離手段は、
大きい汚物を１次分離する第１汚物分離部材と；
前記第１汚物分離部材によって分離されない微細汚物を２次分離する第２汚物分離部材とを含むことを特徴とする請求項１に記載の真空掃除機用集塵フィルタ。
【請求項４】
前記第１汚物分離部材は、
前記フィルタケースの内部空間を外側の汚物収去部と内側の空気排出部とに区切るようにフィルタケースの後面部に一体に形成され、且つ半径方向に開放された複数の孔を有するフレームと；
前記フレームの孔を取り囲むようにフレームの側部に取付けられる網状体とを含むことを特徴とする請求項３に記載の真空掃除機用集塵フィルタ。
【請求項５】
前記第２汚物分離部材は、
前記空気排出部に該当するフィルタケースの後面部に当接され、その中央部に前記空気排出孔と対応する通孔が形成された第１ブラケットと；
前記フレームの端部にその縁部が支持されるように設けられる第２ブラケットと；
両端が前記第１ブラケットと第２ブラケットの周縁部で支持されて設けられた微細埃用フィルタとを含むことを特徴とする請求項４に記載の真空掃除機用集塵フィルタ。
【請求項６】
前記第２ブラケットは、前記カバーの空気流入孔を通して流入される空気が前記フィルタケース内部の前記汚物収去部へ円滑に流れていくようにその中央部から放射状に下向き傾斜した円錐形に形成されることを特徴とする請求項５に記載の真空掃除機用集塵フィルタ。
【請求項７】
前記微細埃用フィルタは不織布で構成され、該不織布は汚物分離面積を広くするための複数のギャザー部を有することを特徴とする請求項５に記載の真空掃除機用集塵フィルタ。
【請求項８】
前記カバーの内側では、該カバーが前記フィルタケースに結合するとき、前記フレームの端部に支持された第２ブラケットを押圧するための複数のリブが突接されていることを特徴とする請求項５に記載の真空掃除機用集塵フィルタ。
【請求項９】
吸込みブラシと連結する空気流入口及び空気排出口が備えられた集塵室を有する掃除機本体と；
前記空気排出口によって前記集塵室と連通するように前記掃除機本体の集塵室の後方に形成された駆動室に設けられ、前記集塵室に負圧を提供する真空発生装置と；
前記集塵室に取付けられ、該集塵室へ流入される空気に含まれた汚物を分離収去する半永久的に使用可能な集塵フィルタとを含み、
前記空気排出口と通ずる空気排出孔が形成された後面部及び該後面部の縁部から垂直に延ばされた側面部とを有することによって、内部に所定の空間部が備えられたフィルタケースと；
前記空気流入口と通ずる空気流入孔を有し、前記フィルタケースに分離可能に結合されるカバーと；
前記空気流入孔に流入され、前記空気排出孔に排出される空気に含まれた汚物を分離するように前記フィルタケースに内装される汚物分離手段とを含むことを特徴とする真空掃除機。
【請求項１０】
前記フィルタケースは円筒形に構成され、該フィルタケースと前記カバーとはその結合部に互いに対応するように形成される係止突部及びホックの構造によって着脱自在に結合されることを特徴とする請求項９に記載の真空掃除機。
【請求項１１】
前記汚物分離手段は、
大きい汚物を１次分離する第１汚物分離部材と；
前記第１汚物分離部材によって分離されない微細汚物を２次分離する第２汚物分離部材とを含むことを特徴とする請求項９に記載の真空掃除機。
【請求項１２】
前記第１汚物分離部材は、
前記フィルタケースの内部空間を外側の汚物収去部と内側の空気排出部とに区切るようにフィルタケースの後面部に一体に形成され、且つ半径方向に開放された複数の孔を有するフレームと；
前記フレームの孔を取り囲むようにフレームの側部に取付けられる網状体とを含むことを特徴とする請求項１１に記載の真空掃除機。
【請求項１３】
前記第２汚物分離部材は、
前記空気排出部に該当するフィルタケースの後面部に当接され、その中央部に前記空気排出孔と対応する通孔が形成された第１ブラケットと；
前記フレームの端部にその縁部が支持されるように設けられる第２ブラケットと；
両端が前記第１ブラケットと第２ブラケットの周縁部で支持されて設けられた微細埃用フィルタとを含むことを特徴とする請求項１２に記載の真空掃除機。
【請求項１４】
前記第２ブラケットは、前記カバーの空気流入孔を通して流入される空気が前記フィルタケース内部の前記汚物収去部へ円滑に流れていくようにその中央部から放射状に下向き傾斜した円錐形に形成されることを特徴とする請求項１３に記載の真空掃除機。
【請求項１５】
前記微細埃用フィルタは不織布で構成され、該不織布は汚物分離面積を広くするための複数のギャザー部を有することを特徴とする請求項１３に記載の真空掃除機。
【請求項１６】
前記カバーの内側では、該カバーが前記フィルタケースに結合するとき、前記フレームの端部に支持された第２ブラケットを押圧するための複数のリブが突接されていることを特徴とする請求項１３に記載の真空掃除機。
【発明の詳細な説明】
【０００１】
【発明の属する技術分野】
本発明は、真空掃除機のフィルタに関し、より詳しくは、内部に溜まった汚物を捨てた後、洗浄して繰り返し使える集塵フィルタ及びそれを備えた真空掃除機に関する。
【０００２】
【従来の技術】
一般に、真空掃除機は、真空発生装置によって吸込み口で発生する吸込み力を用いて被掃除面にある埃及び各種異物質（以下、汚物という）を空気と共に吸込み、吸込まれた空気中に含まれた汚物をフィルタで分離収去する構成を有する。
【０００３】
上記のようなフィルタとしては一般に紙フィルタが使用されている。この紙フィルタは使い捨てフィルタで、内部に汚物が溜まると掃除機から取出して汚物と共に廃棄処理する。よって、使い捨て紙フィルタは、掃除機の維持費用を増やす要因となる。また、紙フィルタは、その構造上細菌が繁殖するのに良い環境を提供するので、非衛生的で且つ取り替えが煩わしいという短所がある。
【０００４】
【発明が解決しようとする課題】
本発明は、従来の真空掃除機用集塵フィルタに関する上記問題点に鑑みてなされたものであり、本発明の目的は、内部に溜まった汚物を捨てて洗浄して繰り返し使える、つまり半永久的に使用できる真空掃除機用集塵フィルタを提供することにある。
【０００５】
本発明の他の目的は、衛生的で細菌が繁殖しにくく、且つ掃除機集塵室への取付けや取り外しが容易な真空掃除機用集塵フィルタを提供することにある。
【０００６】
また、本発明の他の目的は、上記のような特徴を有する集塵フィルタを備えることにより、維持費用を低減できるだけでなく使いやすい真空掃除機を提供することにある。
【０００７】
【課題を解決するための手段】
上記目的を果たすための本発明による真空掃除機用集塵フィルタは、空気流入口及び空気排出口を備えた真空掃除機の集塵室に取付けられ、前記空気流入口を通して流入される空気に含まれた汚物を分離収去するものであって、前記空気排出口と通ずる空気排出孔が形成された後面部及び該後面部の縁部から垂直に延ばされた側面部とを有することにより、内部に所定の空間部が設けられるフィルタケースと；前記空気流入口と通ずる空気流入孔を有し、前記フィルタケースに分離可能に結合されるカバーと；前記空気流入孔から流入され、前記空気排出孔へ排出される空気に含まれた汚物を分離するように前記フィルタケースに内装される汚物分離手段とを含み、汚物が溜まると汚物を捨てた後洗浄して繰り返し使える、すなわち半永久的に使えることをその特徴とする。
【０００８】
本発明によるとフィルタを取り替える必要がないため、フィルタ取り替えのための費用が低減でき、更に細菌の繁殖のおそれがなくて衛生的だけでなく、集塵フィルタの取付けや取り外しが容易なので掃除機使用の便利さが図れる。
【０００９】
前記フィルタケースは円筒形に構成され、該フィルタケースと前記カバーとはその結合部に互いに対応するように形成される係止突部及びホックの構造によって着脱自在に結合されるように構成されることが望ましい。
【００１０】
前記汚物分離手段は、大きい汚物を１次分離する第１汚物分離部材と；前記第１汚物分離部材によって分離されない微細汚物を２次分離する第２汚物分離部材とを含むことが望ましい。
【００１１】
前記第１汚物分離部材は、前記フィルタケースの内部空間を外側の汚物収去部と内側の空気排出部とに区切るようにフィルタケースの後面部に一体に形成され、且つ半径方向に開放された複数の孔を有するフレームと；前記フレームの孔を取り囲むようにフレームの側部に取付けられる網状体とを含んで構成され得る。
【００１２】
また、前記第２汚物分離部材は、前記空気排出部に該当するフィルタケースの後面部に当接され、その中央部に前記空気排出孔と対応する通孔が形成された第１ブラケットと；前記フレームの端部にその縁部が支持されるように設けられる第２ブラケットと；両端が前記第１ブラケットと第２ブラケットの周縁部で支持されて設けられた微細埃用フィルタとを含んで構成され得る。
【００１３】
ここで、前記第２ブラケットは、前記カバーの空気流入孔を通して流入される空気が前記フィルタケース内部の前記汚物収去部へ円滑に流れていくようにその中央部から放射状に下向き傾斜した円錐形に形成されることが望ましい。
【００１４】
また、前記微細埃用フィルタは不織布で構成され、該不織布は汚物分離面積を広くするための複数のギャザー部を有することが望ましい。
【００１５】
更に、前記カバーの内側では、該カバーが前記フィルタケースに結合するとき、前記フレームの端部に支持された第２ブラケットを押圧するための複数のリブが突接されていることが望ましい。
【００１６】
一方、本発明の他の目的を果たすための真空掃除機は、吸込みブラシと連結する空気流入口及び空気排出口が備えられた集塵室を有する掃除機本体と；前記空気排出口によって前記集塵室と連通するように前記掃除機本体の集塵室の後方に形成された駆動室に設けられ、前記集塵室に負圧を提供する真空発生装置と；前記集塵室に取付けられ、該集塵室へ流入される空気に含まれた汚物を分離収去する半永久的に使用可能な集塵フィルタとを備える。
【００１７】
前記集塵フィルタは、前記空気排出口と通ずる空気排出孔が形成された後面部及び該後面部の縁部から垂直に延ばされた側面部とを有することによって、内部に所定の空間部が備えられたフィルタケースと；前記空気流入口と通ずる空気流入孔を有し、前記フィルタケースに分離可能に結合されるカバーと；前記空気流入孔に流入され、前記空気排出孔に排出される空気に含まれた汚物を分離するように前記フィルタケースに内装される汚物分離手段とを含む。
【００１８】
【発明の実施の形態】
以下に添付図面を参照しながら、本発明にかかる真空掃除機用集塵フィルタの好適な実施の形態について詳細に説明する。なお、本明細書及び図面において、実質的に同一の機能構成を有する構成要素については、同一の符号を付することにより重複説明を省略する。
【００１９】
図１ないし図４に示すように、本発明の一実施形態による真空掃除機用集塵フィルタ１００は、フィルタケース１０、カバー２０、及び汚物分離手段３０とを含む。集塵フィルタ１００は、内部に汚物が溜まるとカバー２０をフィルタケース１０から分離して収去した汚物を捨てた後洗浄して再び使える、半永久的に使用できることを特徴とする。
【００２０】
以下ではそれぞれの構成要素について具体的に説明する。
【００２１】
フィルタケース１０は、後面部１０ａと後面部１０ａの縁部に垂直に延ばされた側面部１０ｂとを有する円筒形に形成され、フィルタケース１０の内部には所定の空間部が備えられる。後面部１０ａの略中央部には空気排出孔１１が備えられ、側面部１０ｂの端部にはその円周方向に沿って係止突部１２が備えられる。
また、係止突部１２の内側にはカバー２０との結合時の気密を保持するために介在されるＯ―リング１３のための溝１３ａが備えられる。空気排出孔１１は、図５に示すように、本発明の集塵フィルタ１００を掃除機本体２００の集塵室２１０に取付けるときに集塵室２１０の空気排出口２２１と連通される。図５で図面符号２３０は駆動室であり、駆動室２３０には真空発生装置３００が設けられる。集塵室２１０と駆動室２３０とは隔壁２２０によって区切られ、且つ上記隔壁２２０に形成された空気排出口２２１によって互いに連通される。図５において、図面符号２１１は集塵室２１０の空気流入口であり、空気流入口２１１には吸込みブラシ（図示せず）の吸込みホースが連結される。
【００２２】
カバー２０は上記フィルタケース１０に分離可能に結合され、その略中央部には空気流入孔２１が形成され、その縁部にはフィルタケース１０の係止突部１２に係止する複数のホック２２が形成される。かかる係止突部１２及びホック２２の構造により、カバー２０はフィルタケース１０に結合及び分離され得る。空気流入孔２１は、図５に示すように、本発明の集塵フィルタ１００を掃除機本体２００の集塵室２１０に取付けするときに、集塵室２１０の空気流入口２１１と連通される。よって、真空発生装置３００が駆動すると、空気流入孔２１を通して吸込みブラシから汚物を含んだ空気が集塵フィルタ１００へ吸込まれる。一方、カバー２０には複数のリブ２３が突設されるが、これについては後述する。
【００２３】
汚物分離手段３０は、上記カバーの空気流入孔２１に流入され、フィルタケース１０の空気排出孔１１へ排出される空気に含まれた汚物を分離するように上記フィルタケース１０に内装され、これにより汚物を含んだ上記空気が浄化されて排出される。このような汚物分離手段３０は、大きい汚物を１次分離する第１汚物分離部材３１と、該第１汚物分離部材によって分離しない微細汚物を２次分離する第２汚物分離部材３５とを備える。
【００２４】
第１汚物分離部材３１は、フレーム３２と網状体３３とを備える。フレーム３２は、フィルタケース１０の内部空間Ｓを外側の汚物収去部Ｓ１と内側の空気排出部Ｓ２とに区切るようにフィルタケース１０の後面部１０ａに一体に形成され、その半径方向に開放された複数の孔３２ａを有する。網状体３３は、フレーム３２の孔３２ａを取り囲むようにフレーム３２の側部に取付けられる。空気は、カバー２０の空気流入孔２１を通して流入され、汚物収去部Ｓ１、網状体３３、空気排出部Ｓ２、及びフィルタケース１０の空気排出孔１１を通って排出される。このとき、空気中に含まれた汚物は、網状体３３を通過できないことにより、空気から分離して汚物収去部Ｓ１に収去される。
【００２５】
第２汚物分離部材３５は、第１ブラケット３６、第２ブラケット３７、及び微細埃用フィルタ３８とを備える。第１ブラケット３６は、フィルタケース１０の空気排出部Ｓ２に該当するフィルタケース１０の後面部１０ａに当接され、その中央部には空気排出孔１１と対応する通孔３６ａが形成される。第２ブラケット３７はフレーム３２の端部にその縁部が支持されるように設けられる。また、微細埃用フィルタ３８は、その両端が第１ブラケット３６と第２ブラケット３７との周縁部に支持されて設けられる。ここで、微細埃用フィルタ３８は不織布でなり得、上記不織布は汚物分離面積を広くするための複数のギャザー部を有することが望ましい。また、第２ブラケット３７はその中央から放射方向に下向き傾斜した円錐状を成すことが空気の円滑な流れという面で良い。つまり、上記のような円錐状の第２ブラケット３７によってカバー２０の空気流入孔２１を通して流入される空気は、フィルタケース１０内部の汚物収去部Ｓ１へ円滑に流れていくことができる。一方、前述したカバー２０に備えられる複数のリブ２３は、図４に示すように、カバー２０がフィルタケース１０に結合するとき、フレーム３２の端部に支持された第２ブラケット３７を押圧することにより、第２ブラケット３７がその設置位置から離脱しなくなる。
【００２６】
同図にて図面符号１４はフィルタケース１０の後面部１０ａと第１ブラケット３６との間の気密を保持するためのＯ―リングであり、Ｏ―リング１４は、後面部１０ａのフレーム３２の形成部位に沿って形成される溝１４ａに介在される。
【００２７】
以下、上記のように構成された本発明による集塵フィルタを備える真空掃除機の作用を図５及び図６に基づいて説明する。本発明の要部構成である集塵フィルタ１００は、図５及び６に示すように、真空掃除機本体２００の集塵室２１０に着脱自在に取付けられる。このとき、集塵フィルタ１００の空気流入孔２１は集塵室２１０と連通し、集塵フィルタ１００の空気排出孔１１は集塵室２１０の空気排出口２２１と連通するように設けられる。
【００２８】
よって、掃除を開始して駆動室２３０の真空発生装置３００が駆動すると、上記集塵室２１０に強い負圧が発生し、それにより吸込みフィルタ（図示せず）を通して被掃除面に在る各種汚物を含んだ空気が集塵室２１０へ吸込まれる。
【００２９】
上記吸込まれた空気は、集塵室２１０の空気流入口２１１、集塵フィルタ１００の空気流入孔２１を通して集塵フィルタ１００の内部へ流入され、流入された空気は、第２汚物分離部材３５の第２ブラケット３７によってフィルタケース１０の汚物収去部Ｓ１へガイドされ、第１汚物分離部材３１の網状体３３、第２汚物分離部材３５の微細埃用フィルタ３８、空気排出部Ｓ２、集塵フィルタ１００の空気排出孔１１、集塵室２１０の空気排出口２２１、及び駆動室２３０を経由して外部へ排出される。
【００３０】
このとき、空気中に含まれた大きい汚物は、第１汚物分離部材３１の網状体３３を通り過ぎずに空気から分離されて第１汚物分離部材３１の内部に収去され、第１汚物分離部材３１によって分離されない微細汚物は、第２汚物分離部材３５の微細埃用フィルタ３８によって２次分離され、このように汚物が分離され浄化された空気は、上記の排出経路に沿って外部へ排出される。
【００３１】
一方、フィルタケース１０の汚物収去部Ｓ１が分離された汚物で一杯になると、集塵フィルタ１００を掃除機本体２００の集塵室２１０から取り外し、カバー２０を分離してフィルタケース１０に収去された汚物を捨てる。このとき、第２汚物分離部材３５の掃除も共に行う。次いで、これらを洗浄して組み立てた後、再び掃除機本体２００の集塵室２１０に取付けて使用する。
【００３２】
以下、添付図面を参照しながら本発明の真空掃除機用集塵フィルタ及びそれを備えた真空掃除機の好適な実施形態について説明したが、本発明はかかる例に限定されない。当業者であれば、特許請求の範囲に記載された技術的思想の範疇内において各種の変形例又は修正例に想到し得ることは明らかであり、それらについても当然に本発明の技術的思想に属するものと了解される。
【００３３】
【発明の効果】
本発明によると、吸込まれる空気に含まれた汚物を分離収去する集塵フィルタを半永久的に使用できるため、従来の紙フィルタを取り替えるのにかかる費用を低減できるので、掃除機の維持費用を減らすことができる。
【００３４】
また、本発明によると、集塵フィルタの構造が細菌の繁殖しにくい構造であるため、周辺環境を衛生的に維持でき、且つ集塵フィルタの取付け及び取り外しが容易で、掃除機を使用するのに非常に便利である。
【００３５】
つまり、本発明によると、掃除機の維持費用が少なく済み、衛生的で、更に使いやすい真空掃除機、すなわち、使用者の立場から非常に満足してもらえる真空掃除機を提供することができる。
【図面の簡単な説明】
【図１】本発明の一実施形態による真空掃除機用集塵フィルタを示す分解斜視図である。
【図２】図１の組み立て状態の斜視図である。
【図３】本発明の一実施形態による真空掃除機用集塵フィルタの内部構造を説明するための半断面図である。
【図４】本発明の一実施形態による真空掃除機用集塵フィルタの汚物分離作用を説明するための断面図である。
【図５】本発明による集塵フィルタが真空掃除機の集塵室に取付けられた状態を示す断面図である。
【図６】図５の平面図である。
【符号の説明】
１０    フィルタケース
１１    空気排出孔
１２    係止突部
１３、１４  Ｏ−リング
２０    カバー
２１    空気流入孔
２２    ホック
２３    リブ
３０    汚物分離手段
３１    第１汚物分離部材
３２    フレーム
３３    網状体
３５    第２汚物分離部材
３６、３７  第１及び第２ブラケット
３８    微細埃用フィルタ
１００  集塵フィルタ
２００  掃除機本体
２１０  集塵室
２１１  空気流入口
２２０  隔壁
２２１  空気排出口
２３０  駆動室
３００  真空発生装置
【図１】
2004174206.tif 000003
【図２】
2004174206.tif 000004
【図３】
2004174206.tif 000005
【図４】
2004174206.tif 000006
【図５】
2004174206.tif 000007
【図６】
2004174206.tif 000008